(57)【要約】【課題】ランプの周辺が器具外観となる透光カバーで覆われていて、ランプと反射板が一体に回転可能で照射方向が可変な照明器具にあって、器具サイズを極力小さく抑えても、ランプ熱の透光カバーへの影響を低減できるものとする。【解決手段】ランプ４の周辺を覆う透光カバー２が器具外観となり、透光カバー２内でランプ４とランプ光を所定方向に反射する反射板３とが一体に回転軸５回りに回転可能に設けられ、かつ、ランプ４は回転軸５中心より反射板３側寄りに配置される。これにより、ランプ熱の透光カバー２への影響を低減でき、透光カバー２が熱の影響を受け易い材質で構成されていても、透光カバー２により覆われているランプ４と反射板３が一体に回転可能で照射方向を可変な照明器具をコンパクトにできる。【選択図】図１
2007200701.tif 000002
【特許請求の範囲】
【請求項１】
ランプの周辺を覆う透光カバーが器具外観となる照明器具において、
前記透光カバー内でランプとランプ光を所定方向に反射する反射板とが一体に回転軸回りに回転可能に設けられ、かつ、前記ランプは回転軸中心より反射板側寄りに配置されていることを特徴とする照明器具。
【請求項２】
器具外観となる前記透光カバーが縦長の立方体形状であり、
ランプソケットと反射板が一体となった部材が、前記縦長立方体形状に沿う一本の支柱に回転自在に支持されていることを特徴とする請求項１に記載の照明器具。
【請求項３】
前記ランプソケットと反射板が一体となった部材は回転軸に保持され、その回転軸の一端のみを前記支柱に保持させたことを特徴とする請求項２に記載の照明器具。
【請求項４】
前記ランプソケットと反射板が一体となった部材を回転させるための操作部を備えていることを特徴とする請求項３に記載の照明器具。
【請求項５】
前記ランプソケットと反射板が一体となった部材は、光の照射方向を略１７０度以上回転可能で、任意の位置で固定可能としたことを特徴とする請求項１乃至請求項４のいずれかに記載の照明器具。
【請求項６】
前記反射板は、ランプの四方を覆う形状とされていることを特徴とする請求項１乃至請求項５のいずれかに記載の照明器具。
【発明の詳細な説明】
【技術分野】
【０００１】
本発明は、ランプの周辺を覆う透光カバーが器具外観となる照明器具に関する。
【背景技術】
【０００２】
従来のこの種の照明器具において、視覚的な光照射効果を高めるために、筒状の透光カバー内のランプ周辺に反射板を設け、その反射板を周方向に回転自在としたものがある（例えば、特許文献１参照）。
【特許文献１】特開平７−２９６６１３号公報
【発明の開示】
【発明が解決しようとする課題】
【０００３】
ところで、この種の照明器具のサイズを極力小さく抑えて小型化しようとすると、器具外観となる透光カバーとランプとの距離が短くなる。一方、透光カバーの部材は、一般に熱に弱い材質から構成されていることから、ランプの発熱がこの透光カバー部材に悪影響を与え易いものとなる。上記特許文献１の照明器具は、透光カバー内で反射板が回転し、ランプは反射板の内側で固定部材に固定された構成であるため、ランプを反射板寄りに配置して透光カバーへの熱の影響を少なくするといったことはできない。
【０００４】
本発明は、上記問題を解消するものであり、ランプの周辺が器具外観となる透光カバーで覆われていて、ランプと反射板が一体に回転可能で照射方向が可変な照明器具にあって、器具サイズを極力小さく抑えても、ランプ熱の透光カバーへの影響を低減できる照明器具を提供することを目的とする。
【課題を解決するための手段】
【０００５】
上記目的を達成するために、請求項1の発明は、ランプの周辺を覆う透光カバーが器具外観となる照明器具において、前記透光カバー内でランプとランプ光を所定方向に反射する反射板とが一体に回転軸回りに回転可能に設けられ、かつ、前記ランプは回転軸中心より反射板側寄りに配置されているものである。
【０００６】
請求項２の発明は、請求項１に記載の照明器具において、器具外観となる前記透光カバーが縦長の立方体形状であり、ランプソケットと反射板が一体となった部材が、前記縦長立方体形状に沿う一本の支柱に回転自在に支持されているものである。
【０００７】
請求項３の発明は、請求項２に記載の照明器具において、ランプソケットと反射板が一体となった部材は回転軸に保持され、その回転軸の一端のみを前記支柱に保持させたものである。
【０００８】
請求項４の発明は、請求項３に記載の照明器具において、ランプソケットと反射板が一体となった部材を回転させるための操作部を備えているものである。
【０００９】
請求項５の発明は、請求項１乃至請求項４のいずれかに記載の照明器具において、ランプソケットと反射板が一体となった部材は、光の照射方向を略１７０度以上回転可能で、任意の位置で固定可能としたものである。
【００１０】
請求項６の発明は、請求項１乃至請求項５のいずれかに記載の照明器具において、前記反射板は、ランプの四方を覆う形状とされているものである。
【発明の効果】
【００１１】
請求項１の発明によれば、透光カバー内で光の照射方向を可変でありながら、ランプ熱の透光カバーへの影響を低減できる照明器具を提供することができる。
【００１２】
請求項２、３の発明によれば、立方体形状の透光カバーの一面にだけ支柱の影が映り込むものとして影を低減でき、透光カバーの光り方が美しくなる。また、部品点数が少なくて済み、コストダウンが図れる。
【００１３】
請求項４、５の発明によれば、透光カバーの光り方を変更する操作が容易となり、使い勝手とデザイン性の向上を図ることができる。
【００１４】
請求項６の発明によれば、透光カバーに映る反射板の影の明暗がくっきりするので、透光カバーの光り方が美しくなる。
【発明を実施するための最良の形態】
【００１５】
以下、本発明の一実施形態に係る照明器具について図面を参照して説明する。図１は、第１の実施形態による照明器具の各種取付状態を示す。この照明器具１は、器具外観が立方体形状とされている例であり、図１（ａ）（ｂ）は照明器具１を天井６へ取付けた場合、（ｃ）（ｄ）は壁７へ取付けた場合、（ｅ）（ｆ）は床８へ据置いた場合を示している。
【００１６】
照明器具１は、ランプ４の周辺を覆い器具外観となる透光カバーである透光カバー２と、この透光カバー２内に設けられた、ランプ光を所定方向に反射させる反射板３及び発光するランプ４と、を備える。反射板３とランプ４（ランプソケットをも含め）は、一体に回転軸５回りに回転可能（図の矢印方向）な構成とされている。反射板３は、半裁した円筒形状で、裁断面に相当する面が開口し、両端が塞がれた樋状としている。反射板３は、この例に限られず、椀状のものであってもよい。ランプ４は、例えば６０Ｗ白熱灯であり、上記のような反射板３に収納されており、回転軸５方向と同じ方向に取付けられ、発光熱の透光カバー２への影響を可及的に低減するため、回転軸５の中心より反射板３側寄りに配置される。一体と成った反射板３、ランプ４及び回転軸５は、図示していないフレーム（支柱）に支持され、使用に際し任意の角度に設定される。透光カバー２は、例えばアクリル透明樹脂製であり、取付け面以外が透光性であればよい。反射板３は、例えばミラー処理された金属板を用いる。
【００１７】
上記図１（ａ）（ｃ）（ｅ）は、回転軸５が水平方向、（ｂ）（ｄ）（ｆ）は回転軸５が垂直方向の例を示す。図２（ａ）（ｂ）（ｃ）は、それぞれ、照明器具１を天井６へ取付けた場合、壁７へ取付けた場合、床８へ据置いた場合を示している。
【００１８】
本実施形態の照明器具１によれば、ランプ熱の透光カバー２への影響を低減できるので、透光カバー２が比較的、熱の影響を受け易い材質で構成されていても、透光カバー２により覆われているランプ４と反射板３が一体に回転可能で照射方向を可変な器具をコンパクトに実現できる。ここで、図１３を参照して、本発明の実施形態と従来品でのランプと透光カバーの距離の関係を説明する。従来品では、図１３（ｃ）に示すように、ランプ４と透光カバー２の距離ｌ’は、透光カバー２の寸法Ｌの略半分となる。それに対して、本発明の実施形態においては、図１３（ａ）（ｂ）に示すように、照射方向が上向き、横向き等、いずれであっても、ランプ４と透光カバー２との距離ｌは、従来品の距離ｌ’よりも大きくでき、ランプ２を透光カバー２から離すことができる。また、設計によっては、距離ｌは、透光カバー２の寸法Ｌの半分以上に大きくできる。
【００１９】
図３は、第１の実施形態の変形例に係る照明器具１を示し、器具外観となる透光カバー２が円柱形状とされている。その他の構成は、上記と同等である。
【００２０】
図４乃至図７は、第２の実施形態による照明器具１を示す。この照明器具１はスタンド型であって、図４（ａ）（ｂ）（ｃ）はその背面、側面透視、及び上面を、図５は透光カバー２を、図６は照明器具１の支柱を、図７は反射板を、それぞれ示す。照明器具１は、縦長立方体形状の透光カバー２と、縦長の支柱１１と、ランプ４、ランプソケット１３及び反射板３が一体になった可動部１２と、を備える。可動部１２は、回転軸５回りに回転させるための操作部となる操作レバー１４付きの回転軸部材１５に保持され、可動部１２の一端側の回転軸部材１５が支柱１１に回転自在に支持されている。支柱１１には、透光カバー２、透光パネル１６、調光回路・調光スイッチ１７等、殆どの部品が支持されている。ランプ４は、先の実施形態と同様に、回転軸５の中心より反射板３側寄りに配置される。
【００２１】
可動部１２は、光の照射方向を鉛直方向に略３５０度以上回転可能とされ、回転軸部材１５に設けられた固定機構により任意の角度位置で固定される。反射板３は、図７に示されるように、ランプ４の四方を覆う、両端が塞がれた樋形状とされている。可動部１２は、この例に限られず、光の照射方向を少なくとも略１７０度以上回転可能としたものであれば、実用に供することができる。
【００２２】
本実施形態の照明器具１によれば、前記実施形態と同様、透光カバー２への熱の影響を低減できる効果が得られるほか、ランプ４や反射板３等の殆どの部品を一本の支柱１１に支持させ、立方体形状の透光カバー２の一面に沿って支柱が設けられた構造としたので、影として映り込んでくる部分を透光カバー２の一面のみとし、残りの３面には影が映りこまないようにすることができる。このため、透光カバー２の光り方が美しくなる。また、反射板３をランプ４の四方を覆う形状としたので、無駄な光の拡散を防ぐことができ、光の出方が美しくなる。さらにまた、一体になった可動部１２がその一端側で支柱１１に支持される構造であって、部品点数が少なくて済むので、コストダウンが図れる。また、透光カバー２の光り方を変更する操作が容易で、使い勝手とデザイン性の向上が図れる。
【００２３】
図８は、第２の実施形態の変形例に係る照明器具１を示す。この照明器具１は、器具外観となる透光カバー２が円柱形状で、スタンド型とされている。本実施形態においても、支柱は透光カバー２に沿って設けられている。同図（ａ）（ｂ）（ｃ）は、それぞれ光の照射方向を上向き、横向き、下向きとした状態を示す。
【００２４】
図９は、ランプ４の四方が反射板３に覆われていない場合の透光カバー２に映りこむ反射板３の影を示し、図１０は、ランプ４の四方が反射板３に覆われている場合の透光カバー２に映りこむ影を示している。ここに、ランプ４の四方が反射板３に覆われていないものは、図示のように、反射板３の回転軸方向の一側端（支持側とは反対側）面が開口している例を示している。これらの図において、（ａ）（ｂ）は光の照射方向が下向き、（ｃ）（ｄ）は光の照射方向が横向き、（ｅ）（ｆ）は光の照射方向が上向きの場合であり、斜線部がライト点灯時の反射板の陰を示す。ランプの四方が反射板に覆われていない場合は、影の形がいびつになり、透光カバー２の光り方が美しくないが、ランプの四方が反射板に覆われている場合は、陰の形がいびつにならず、しかも明暗がくっきりとして、透光カバー２の光り方が美しいものとなる。
【００２５】
図１１は、本実施形態の照明器具１が寝室のベッドサイドで使用される様子を示し、図１２（ａ）（ｂ）（ｃ）は、シチュエーションに応じて配光を変更できる様子を示す。図１２（ａ）は光の照射方向が上向きで、部屋全体の地灯り、（ｂ）は横向きで、読書などタスク光、（ｃ）は下向きの常夜灯（調光も可能）として、それぞれ用いる例を示している。斜線部分２１，２２，２１は、光照射領域を示す。なお、本発明は、上記実施形態の構成に限られることなく、発明の趣旨を変更しない範囲で種々の変形が可能である。
【図面の簡単な説明】
【００２６】
【図１】本発明の第１の実施形態による照明器具の各種取付状態を示す斜視図。
【図２】同上照明器具を天井へ取付けた場合、壁へ取付けた場合、床へ据置いた場合を示す図。
【図３】第１の実施形態の変形例に係る照明器具の各種取付状態を示す斜視図。
【図４】（ａ）（ｂ）（ｃ）は第２の実施形態による照明器具の背面図、側面透視図、及び上面図。
【図５】（ａ）（ｂ）（ｃ）は同上照明器具の透光カバーの背面図、側面図及び上面図。
【図６】（ａ）（ｂ）は同上照明器具の支柱の側面図及び背面図。
【図７】（ａ）（ｂ）（ｃ）は同上照明器具の反射板の上面図、側面図、背面図、及び前面図。
【図８】第２の実施形態の変形例に係る照明器具の斜視図。
【図９】ランプの四方が反射板に覆われていない場合の透光カバーに映りこむ影を示す斜視図。
【図１０】ランプの四方が反射板に覆われている場合の透光カバーに映りこむ影を示す斜視図。
【図１１】本実施形態の照明器具が寝室のベッドサイドで使用される様子を示す図。
【図１２】本実施形態の照明器具においてシチュエーションに応じて配光を変更できる様子を示す図。
【図１３】（ａ）（ｂ）は、本発明実施形態でのランプと透光カバーの距離の関係を説明する図、（ｃ）は従来のランプと透光カバーの距離の関係を説明する図。
【符号の説明】
【００２７】
１  照明器具
２  透光カバー
３  反射板
４  ランプ
５  回転軸
１１  支柱
１２  可動部
１３  ランプソケット
１４  操作レバー（操作部）
１５  回転軸部材
【図１】
2007200701.tif 000003
【図２】
2007200701.tif 000004
【図３】
2007200701.tif 000005
【図４】
2007200701.tif 000006
【図５】
2007200701.tif 000007
【図６】
2007200701.tif 000008
【図７】
2007200701.tif 000009
【図８】
2007200701.tif 000010
【図９】
2007200701.tif 000011
【図１０】
2007200701.tif 000012
【図１１】
2007200701.tif 000013
【図１２】
2007200701.tif 000014
【図１３】
2007200701.tif 000015